(57)【要約】固定されたまたは可動性のノードによって提供されるワイヤレスシステムのカバレージを安全にするための技術が開示される。ノードは、少なくとも１つの暗号化鍵を提供しうる。鍵は、ノードの送信電力またはビーム形状／方向のような時間変化する物理レイヤ関数のような、可変関数を有する暗号化関数テーブルを備えうる。鍵にしたがって、ノードからの送信に関連したカバレージが変えられうる。【選択図】図６Ａ
2015528236.tif 000002
【特許請求の範囲】
【請求項１】
ノードのカバレージを安全にする方法であって、
前記ノードが、物理レイヤ暗号化鍵にアクセスすることと、
前記ノードが、前記鍵にしたがって、前記ノードからの送信に関連したカバレージを変えることと
を備える方法。
【請求項２】
前記鍵は、時間変化する物理レイヤ関数を有する暗号化関数テーブルを備える、
請求項１に記載の方法。
【請求項３】
前記時間変化する関数は、可変送信電力を備える、
請求項２に記載の方法。
【請求項４】
前記時間変化する関数は、可変ビーム形状を備える、
請求項２に記載の方法。
【請求項５】
前記ノードが、前記カバレージにアクセスするための要求をモバイルデバイスから受信することをさらに備える、
請求項１に記載の方法。
【請求項６】
前記ノードが、前記カバレージにアクセスするために前記モバイルデバイスの許可を評価することをさらに備える、
請求項５に記載の方法。
【請求項７】
前記評価は、
前記ノードが、前記モバイルデバイスの固有の識別子を受信することと、
前記ノードが、前記モバイルデバイスの許可されたもののリストと前記固有の識別子とを比較することと
をさらに備える、請求項６に記載の方法。
【請求項８】
前記モバイルデバイスの許可されたものからの前記要求に応答可能なように、前記ノードが、前記許可されたモバイルデバイスに前記物理レイヤ暗号化鍵を提供することをさらに備える、
請求項６に記載の方法。
【請求項９】
前記物理レイヤ暗号化鍵は、所定の時間の間有効である、
請求項８に記載の方法。
【請求項１０】
前記物理レイヤ暗号化鍵は、擬似ランダムに生成される鍵を備える、
請求項１に記載の方法。
【請求項１１】
前記物理レイヤ暗号化鍵は、関数テーブルへのインデックスを備える、
請求項１に記載の方法。
【請求項１２】
少なくとも１つのノードのカバレージにアクセスするための方法であって、
デバイスが、前記少なくとも１つのノードに識別子情報を送信することと、
前記少なくとも１つのノードによる認証に際して、前記デバイスが、ワイヤレスネットワークのノードの時間変化する物理レイヤ関数を有する暗号化関数テーブルを備える物理レイヤ暗号化鍵を受信することと
を備える、方法。
【請求項１３】
前記時間変化する物理レイヤ関数は、特定のエリアのカバレージを維持するために、前記ノード中で調整される、
請求項１２に記載の方法。
【請求項１４】
前記時間変化する関数は、可変送信電力を備える、
請求項１２に記載の方法。
【請求項１５】
前記時間変化する関数は、可変ビーム形状を備える、
請求項１２に記載の方法。
【請求項１６】
前記デバイスが、前記物理レイヤ暗号化関数を暗号解読するために、前記物理レイヤ暗号化鍵を使用することをさらに備える、
請求項１２に記載の方法。
【請求項１７】
前記デバイスが、モバイルデバイスのポジションを決定するために、前記暗号解読された物理レイヤ関数を使用することをさらに備える、
請求項１６に記載の方法。
【請求項１８】
ノードのカバレージを安全にするためのノードであって、
物理レイヤ暗号化鍵にアクセスするための手段と、
前記物理レイヤ暗号化鍵にしたがって、前記ノードからの送信に関連したカバレージを変えるための手段と
を備える、ノード。
【請求項１９】
前記物理レイヤ暗号化鍵は、時間変化する物理レイヤ関数を有する暗号化関数テーブルを備える、
請求項１８に記載のノード。
【請求項２０】
前記時間変化する物理レイヤ関数は、可変送信電力を備える、
請求項１８に記載のノード。
【請求項２１】
前記時間変化する物理レイヤ関数は、可変ビーム形状を備える、
請求項１８に記載のノード。
【請求項２２】
前記カバレージにアクセスするための要求をモバイルデバイスから受信するための手段をさらに備える、
請求項１８に記載のノード。
【請求項２３】
前記カバレージにアクセスするように前記要求しているモバイルデバイスの許可にアクセスするための手段をさらに備える、
請求項２２に記載のノード。
【請求項２４】
前記モバイルデバイスの許可されたものからの前記要求に応答可能なように、前記許可されたモバイルデバイスに前記物理レイヤ暗号化鍵を提供するための手段をさらに備える、
請求項２３に記載のノード。
【請求項２５】
少なくとも１つのノードのカバレージにアクセスするためのモバイルデバイスであって、
前記少なくとも１つのノードに識別子情報を送信するための手段と、
前記モバイルデバイスの認証に際して、ワイヤレスネットワークのノードの時間変化する物理レイヤ関数を有する暗号化関数テーブルを備える物理レイヤ暗号化鍵を受信するための手段と
を備える、モバイルデバイス。
【請求項２６】
前記時間変化する物理レイヤ関数は、特定のエリアのカバレージを維持するために、前記ノード中で調整される、
請求項２５に記載のモバイルデバイス。
【請求項２７】
前記時間変化する関数は、可変送信電力を備える、
請求項２６のモバイルデバイス。
【請求項２８】
前記時間変化する関数は、可変ビーム形状を備える、
請求項２６に記載のモバイルデバイス。
【請求項２９】
前記物理レイヤ暗号化関数を暗号解読するために、前記物理レイヤ暗号化鍵を使用することをさらに備える、
請求項２５に記載のモバイルデバイス。
【請求項３０】
現在のポジションを解読するために、前記暗号解読された物理レイヤ関数を使用することをさらに備える、
請求項２９に記載のモバイルデバイス。
【請求項３１】
ワイヤレスネットワーク中のノードに関連した非一時的コンピュータ可読媒体を備え、前記非一時的コンピュータ可読媒体は、
前記ノードに関連した少なくとも１つのプロセッサに、物理レイヤ暗号化鍵にアクセスさせるためのコードと、
前記ノードに関連した少なくとも１つのプロセッサに、前記鍵にしたがって、前記ノードからの送信に関連したカバレージを変えさせるためのコードと
を備える、コンピュータプログラム製品。
【請求項３２】
前記少なくとも１つのプロセッサに、前記物理暗号化鍵にアクセスする要求しているモバイルデバイスのための許可を評価させるためのコードをさらに備える、
請求項３１のコンピュータプログラム製品。
【請求項３３】
前記評価するためのコードは、
前記モバイルデバイスの固有の識別子を受信するためのコードと、
前記モバイルデバイスの許可されたもののリストと前記固有の識別子とを比較するためにコードと
を備える、請求項３２に記載のコンピュータプログラム製品。
【請求項３４】
ワイヤレスネットワーク中のモバイルデバイスに関連した非一時的コンピュータ可読媒体を備え、前記非一時的コンピュータ可読媒体は、
前記モバイルデバイスに関連する少なくとも１つのプロセッサに、前記ワイヤレスネットワークの少なくとも１つのノードに識別子情報を送信させるためのコードと、
前記少なくとも１つのプロセッサに、前記少なくとも１つのノードによる前記送信された識別子の認証に際して、前記ワイヤレスネットワークのノードの時間変化する物理レイヤ関数を有する暗号化関数テーブルを備える物理レイヤ暗号化鍵を受信させるためのコードと
を備える、コンピュータプログラム製品。
【請求項３５】
前記時間変化する物理レイヤ関数は、特定のエリアのカバレージを維持するために、前記ノード間で調整される、請求項３４に記載のコンピュータプログラム製品。
【請求項３６】
前記少なくとも１つのプロセッサに、前記物理レイヤ暗号化鍵を使用して前記少なくとも１つのノードのカバレージを暗号解読させるためのコードをさらに備える、
請求項３４に記載のコンピュータプログラム製品。
【請求項３７】
前記少なくとも１つのプロセッサに、前記暗号解読に準じて前記カバレージにアクセスさせるためのコードをさらに備える、
請求項３６に記載のコンピュータプログラム製品。
【請求項３８】
ノードによって提供されるワイヤレスカバレージを安全にするノードであって、
物理レイヤ暗号化鍵を受信するように構成された暗号化モジュールと、
前記物理レイヤ暗号化鍵にしたがって、前記ノードからの送信に関連する前記ワイヤレスカバレージを変えるように構成された送信機と
を備える、ノード。
【請求項３９】
前記暗号化モジュールは、
前記ワイヤレスカバレージへのアクセスを要求するモバイルデバイスの固有の識別子を受信するように構成される受信機と、
前記モバイルデバイスの許可されたもののリストと前記固有の識別子を比較するように構成された比較器と
をさらに備える、請求項３８に記載のノード。
【請求項４０】
前記ワイヤレスカバレージにアクセスするための要求をモバイルデバイスから受信するように構成された受信機をさらに備える、
請求項３８に記載のノード。
【請求項４１】
前記暗号化モジュールは、前記ワイヤレスカバレージにアクセスするために、前記モバイルデバイスの許可にアクセスするようにさらに構成される、
請求項４０に記載のノード。
【請求項４２】
前記送信機は、前記モバイルデバイスの許可されたものからの前記要求に応答可能なように、前記許可されたモバイルデバイスに前記物理レイヤ暗号化鍵を提供するようにさらに構成される、
請求項４１に記載のノード。
【請求項４３】
前記少なくとも１つのノードのカバレージにアクセスするためのモバイルデバイスであって、
前記少なくとも１つのノードに識別子情報を送信するように構成された送信機と、
前記少なくとも１つのノードによる認証に際して、時間変化する物理レイヤ関数を有する暗号化関数テーブルを備える物理レイヤ暗号化鍵を受信するように構成された受信機と
を備える、モバイルデバイス。
【請求項４４】
前記時間変化する関数は、可変送信電力を備える、
請求項４３に記載のモバイルデバイス。
【請求項４５】
前記時間変化する関数は、可変ビーム形状を備える、
請求項４３に記載のモバイルデバイス。
【請求項４６】
少なくとも１つの物理レイヤ暗号化関数を暗号解読するために前記物理レイヤ暗号化鍵を使用するように構成された暗号解読モジュールをさらに備える、
請求項４３に記載のモバイルデバイス。
【請求項４７】
前記暗号解読モジュールは、前記モバイルデバイスのポジションを解読するために、前記物理レイヤ暗号化鍵を使用するようさらに構成される、
請求項４６に記載のモバイルデバイス。
【請求項４８】
前記送信機および前記受信機は、前記暗号解読モジュールによる解読に応答可能なように前記カバレージにアクセスするように構成される、
請求項４７に記載のモバイルデバイス。
【発明の詳細な説明】
【技術分野】
【０００１】
[0001]本開示は、一般に、通信に関し、より具体的には、ワイヤレスシステムへのアクセスを制限するための技術に関する。
【背景技術】
【０００２】
[0002]ワイヤレス通信ネットワークは、音声、ビデオ、パケットデータ、メッセージング、ブロードキャスト、等のような、様々な通信コンテンツを提供するために広く展開されている。これらのワイヤレスネットワークは、利用可能なネットワークリソースを共有することによって、複数のユーザをサポートすることができる多元接続ネットワークでありうる。そのような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークを含む。ワイヤレス通信ネットワークはさらに、広域ネットワーク（ＷＡＮ）と称されうる。例えば、３ＧＰＰロングタームエボリューション（ＬＴＥ）は、３０ｍｓのオーダのレイテンシを持つ、高速データアクセスを提供するＷＡＮ標準である。
【０００３】
[0003]ＷＡＮとは対照的に、ローカルエリアネットワーク（ＬＡＮ）は、ワイヤレスに提供されうる（ＷＬＡＮ）。ＷＬＡＮは、高いデータスピードと、（１０ｍｓのオーダの）低減されたレイテンシを提供しうる。ＷＬＡＮは、ワイヤレスフィデリティ（ＷｉＦｉ）、またはより一般的に、ＩＥＥＥ８０２．１１ワイヤレスプロトコルファミリから選択されたプロトコルのような、ネットワーキングプロトコルを用いることによって近接デバイスと相互接続するために使用されうる。
【０００４】
[0004]特定のＷＬＡＮを使用することが許可された近接ＷｉＦｉデバイスは、ＷＬＡＮによってサービスされるエリアに関してそれらの現在の位置を決定し、それによってそのＷＬＡＮの使用を可能にするために、そのＷＬＡＮにアクセスしうる。より具体的には、それぞれのアクセスポイントの送信を通じ、そしてＷＬＡＮ通信を可能にするように、許可されたＷｉＦｉデバイスは、ＷＬＡＮのそれぞれのアクセスポイントのいくつかの特徴（例えば、アクセスポイントの物理的な位置、送信電力、ビーム形状、等）を学習しうる。典型的なアクセスポイントは、そのようなＷＬＡＮポジショニングおよび通信を安全にするために既知の暗号化技術を実装しうる。既知の技術における暗号化のこの使用にもかかわらず、無許可のデバイスは、ＷＬＡＮ内のポジショニングを決定するために、これらの既知の暗号化技術を今もなお克服し、それによって関連するＷＬＡＮの無許可の使用を可能にする。
【０００５】
[0005]したがって、代替の暗号化技術を用いることによる、この無許可の使用を実質的に除去することが望まれうる。
【発明の概要】
【０００６】
[0006]本開示は、ワイヤレスシステムへのアクセスを制限するために技術を提供する。
【０００７】
[0007]実施形態では、ワイヤレスフィデリティネットワーク中のワイヤレスアクセスポイントのような、固定されたまたは可動性のノードによるカバレージを変えるための装置、コンピュータプログラム、方法およびシステムが提供されうる。そのような実施形態では、ノードは、例えば、物理レイヤ暗号化鍵関数でありうる、少なくとも１つの暗号化鍵を用いて提供されうる。鍵は、例えば、ノードの送信電力または送信ビーム形状／方向のような時間変化する物理レイヤ関数のような、可変関数を有する暗号化関数テーブルを備えうる。鍵に従って、ノードからの送信に関連したカバレージは、変化されうる。
【０００８】
[0008]開示の様々な態様と追加の態様および様々な特徴と追加の特徴は、以下に詳細に記述される。
【図面の簡単な説明】
【０００９】
【図１】本開示の実施形態に従って、ＷＬＡＮネットワークまたは他のワイヤレスネットワークである、ワイヤレス通信ネットワークを示す。
【図２】フィンガープリンティングが本開示の実施形態にしたがって適用されうる屋内設備のレイアウトである。
【図３Ａ】本開示の実施形態にしたがって、ＷｉＦｉデバイスおよびアクセスポイントそれぞれのブロック図を示す。
【図３Ｂ】本開示の実施形態にしたがって、ＷｉＦｉデバイスおよびアクセスポイントそれぞれのブロック図を示す。
【図４Ａ】本開示の実施形態に従って、時間に関してアクセスポイントのそれぞれの送信電力を説明するタイミング図である。
【図４Ｂ】本開示の実施形態にしたがって、時間に関してアクセスポイントのそれぞれのビーム形状を説明するタイミング図である。
【図５Ａ】本開示の実施形態にしたがって、時間に関してアクセスポイントのそれぞれの送信電力のバリエーションを説明するタイミング図である。
【図５Ｂ】本開示の実施形態にしたがって、時間に関してアクセスポイントのそれぞれのビーム形状のバリエーションを説明するタイミング図である。
【図６Ａ】本開示の実施形態にしたがって、時間変化するアクセスポイントのそれぞれの送信電力およびビーム形状を説明する図である。
【図６Ｂ】本開示の実施形態にしたがって、時間変化するアクセスポイントのそれぞれの送信電力およびビーム形状を説明する図である。
【図７】本開示の実施形態にしたがって、アクセスポイントとデバイスとの間のようなシグナリングを説明するシグナリング図である。
【図８】本開示の実施形態にしたがって、ノードのカバレージエリアを変える方法を説明するフローチャートである。
【図９】本開示の実施形態にしたがって、ノードのカバレージエリアを変える方法を説明するフローチャートである。
【図１０】本開示の実施形態にしたがって、ネットワークエンティティとして構成されうる例示の装置を説明するブロック図である。
【図１１】本開示の実施形態にしたがって、ネットワークエンティティとして構成されうる例示の装置を説明するブロック図である。
【発明を実施するための形態】
【００１０】
[0020]開示の図および記述は、明確な理解のために関連する要素を説明するために単純化される除去している一方、明瞭さと簡潔さの目的のために削除している他の要素は、典型的なテレコミュニケーション装置、システム、および方法において見出される。従って、当業者は、開示を実装する際に望まれるおよび／または要求される他の要素および／またはステップを認識することになるだろう。しかしながら、そのような要素およびステップが技術分野において周知であり、それらが、本願発明のより良い理解を容易にしないので、そのような要素およびステップの開示は、本明細書では提供されない。本明細書の開示は、本開示に照らして当業者に対して既知または明白になる開示された要素およびステップに対するすべてのバリエーションと修正とにそれでもなお向けられる。
【００１１】
[0021]本明細書に記述された技術は、ＣＤＭＡ、ＴＤＭＡ、ＦＤＭＡ、ＯＦＤＭＡ、ＳＣ−ＦＤＭＡ、および他のワイヤレスネットワークのような、様々なワイヤレス通信ネットワークに使用されうる。用語「ネットワーク」、「システム」はしばしば交換性をもって使用される。一例として、ＣＤＭＡネットワークは、ユニバーサルテレストリアルラジオアクセス（ＵＴＲＡ）、ｃｄｍａ２０００、等のような、無線技術を実装することができる。例えば、ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭＡ（登録商標）、等のような無線技術を実装しうる。ＵＴＲＡおよびｅ−ＵＴＲＡは、ユニバーサルモバイルテレコミュニケーションシステム（ＵＭＴＳ）の一部である。ＵＴＲＡ、Ｅ−ＵＴＲＡ、ＵＭＴＳのほかにロングタームエボリューション（ＬＴＥ）および他のセルラ技術もまた、「第３世代パートナーシッププロジェクト」（３ＧＰＰ）および「第３世代パートナーシッププロジェクト２」（３ＧＰＰ２）と名付けられた団体からの文書において記述される。
【００１２】
[0022]ＷｉＦｉは、典型的に、ホームおよびビジネスネットワークを拡張するワイヤレスローカルエリアネットワーク（ＷＬＡＮ）として展開される。参照として、ＩＥＥＥ８０２．１１基準は、デバイス間として、およびデバイスとアクセスポイントの間としてＷｉＦｉ通信を定義する。ＷｉＦｉは、典型的に、（８０２．１１ｂのために）２Ｍｂｐｓから（８０２．１１ｎのために）約１５０Ｍｂｐｓまでのアグリゲートユーザデータ速度を提供する。ＷｉＦｉに対する典型的な速度は、１５Ｍｂｐｓであり、典型的なレイテンシ（つまり、パケット遅延）は、負荷の無い状態でおよそ１０ｍｓ平均である。ＷｉＦｉは、数フィートから数マイルまでの距離にわたり、複数のデバイスをリンクしうる、および／またはデバイスとＡＰとをリンクしうる。対比の目的で、以上で参照されるように、ＬＴＥとＷｉＭａｘは、非常に長い距離の間に広がりうるＷＡＮ接続を典型的に提供するが、１つにはレイテンシの増加のせいで、それれは、ＬＡＮ通信のために典型的に好まれない。注目すべきこととして、本明細書に記述された技術は、以上で言及したワイヤレスネットワークおよび無線技術と同様に他のワイヤレスネットワークおよび無線技術に使用されうる。
【００１３】
[0023]ＷｉＦｉネットワーク、本願明細書はまたＩＥＥＥ８０２．１１ワイヤレスネットワークと称される、は、２つのモード：インフラストラクチャモードとアドホックモードで動作しうる。インフラストラクチャモードでは、デバイスは、例えば、インターネットアクセスにワイヤレスデバイスを接続することを含む、ネットワークインフラストラクチャにワイヤレスデバイスを接続するためのハブとしてサービスするアクセスポイント（ＡＰ）に接続する。したがって、インフラストラクチャモードは、他のワイヤレスデバイスに接続を提供するために、クライアントサーバアーキテクチャを使用する。インフラストラクチャモードのクライアントサーバアーキテクチャとは対照的に、アドホックモードでは、ワイヤレスデバイスは、ピアツーピアアーキテクチャ中で互いに直接接続を有する。
【００１４】
[0024]ここで図１を参照して、ワイヤレスネットワーク技術は、前に議論されたＷＡＮおよび様々なタイプのＷＬＡＮの両方を含みうる。ワイヤレス無線ネットワークの典型的な実施形態では、ＷＬＡＮ１００は、ＩＥＥＥ  ８０２．１１ワイヤレスプロトコルファミリを使用するような広く使用されるネットワーキングプロトコルを用いることによって近接デバイスを相互接続するために使用されうる。
【００１５】
[0025]１つの態様では、インフラストラクチャモードで動作するＷＬＡＮ１００は、ＡＰがカバレージエリア１１０ａをサービスする、様々なデバイス１２０ｘと１２０ｚ、およびＡＰ１０２ａ−１０２ｄを備えうる。本明細書で使用されるように、ＡＰは、そのＡＰに関連したワイヤレスデバイスのための通信をサポートする局でありうる。ＡＰはさらに、ＷｉＦｉ基地局と称されうる。一般に、ＷＬＡＮは、ＡＰの任意の数を含みうる。各ＡＰは、ＡＰ１０２によって送信されたフレームに含まれるグローバルに固有のメディアアクセス制御（ＭＡＣ）アドレス（つまり、ＭＡＣプロトコルレイヤ中の固有の識別子を提供するアドレス）でありうる。ＡＰ１０２ａ−１０２ｄは、様々な機能を実行するネットワークサーバに直接または間接的に接続されうる。ネットワークサーバ１３０は、単一のネットワークエンティティまたは一群のネットワークエンティティでありうる。
【００１６】
[0026]対照的に、ピアツーピア（Ｐ２Ｐ）モードとして本明細書で称される、アドホックモードでは、デバイスのうちの１つは、ＡＰ１０２ａ−１０２ｄおよびネットワークサーバ１３０の通信と通信管理責任のうちのいくつかまたはすべてを提供しうる。これらの責任は、限定しない例示の目的で、（ピア発見における同期のためのような）周期的なビーコンプロセスおよび新規メンバの認証を含みうる。したがって、Ｐ２Ｐモードは、動作中のＡＰがいないまたはＡＰがいない場合に、お互いのデバイスを接続するために使用されうる。
【００１７】
[0027]したがって、本明細書で使用されるように、Ｐ２Ｐモード、またはＰ２Ｐ通信は、２つまたはそれ以上のデバイス間の直通通信を指し、直通通信は、ＡＰを経由しないおよび／または必要としないで行われる。したがって、Ｐ２Ｐリンク、またはその変形は、Ｐ２Ｐ通信に携わる２つまたはそれ以上のデバイス間の直通通信リンクを指す。同様に、ＷＬＡＮデバイスは、ＷＬＡＮ通信に関与するまたは携わるデバイスであり、Ｐ２Ｐデバイス（さもなければ強化デバイスとして知られている）は、Ｐ２Ｐ通信に関与するまたは従事するデバイスである。本明細書に使用されるように、デバイスは、ＷＬＡＮデバイス、または「強化」デバイスでありうる。本明細書に使用されるように、強化ＷｉＦｉデバイスは、例えば、改善された通信、増加した消費電力効率、増加した他の効率、等に対する強化された能力を提供する。
【００１８】
[0028]Ｐ２Ｐグループは、Ｐ２Ｐ通信に従事する２つまたはそれ以上のデバイスのグループを指す。１つの設計では、Ｐ２Ｐグループ中の１つのデバイスは、Ｐ２Ｐサーバ（またはＰ２Ｐグループオーナ）として指定され、Ｐ２Ｐグループ中の残りの各デバイスは、Ｐ２Ｐクライアントとして指定されうる。Ｐ２Ｐサーバは、（ＷＬＡＮのＡＰとシグナリングを交換すること、Ｐ２ＰサーバとＰ２Ｐクライアントとの間のデータ送信を調整すること、等のような）ある管理機能を実行しうる。
【００１９】
[0029]ワイヤレスデバイス、または「デバイス」は、本明細書においてワイヤレス媒体を介して別の局またはＡＰと通信することができる局を指す。デバイスは、固定されたまたは可動性のものであり、モバイル局、ユーザ機器、加入者局、等としてさらに称されうる。デバイスは、セルラーフォン、携帯情報端末（ＰＤＡ）、ハンドヘルドデバイス、ワイヤレスデバイス、ラップトップコンピュータ、ワイヤレスモデム、コードレス電話機、テレメトリデバイス、トラッキングデバイス、等でありうる。デバイス、および／またはＡＰはさらに、米国のグローバルポジショニングシステム（ＧＰＳ）、ヨーロッパのガリレオシステム、ロシアのグロナスシステム、または他の衛星測位システム（ＳＰＳ）の一部でありうる。デバイスは、ＡＰ１０２ａ−１０２ｄに対する信号、他のデバイスに対する信号、および／または前述の衛星からの信号を測定しうる。測定は、デバイス、他のデバイス、および／またはＡＰの位置および／または接続性を決定するために使用されうる。
【００２０】
[0030]本明細書の記述では、ＷＬＡＮ通信は、デバイスとＡＰとの間の通信を指す。より具体的には、ＷＬＡＮ通信は、ＡＰを介してデバイスとリモートエンティティ、例えば他のデバイスとの間の通信のためのような、前述のインフラストラクチャモードにおける通信である。したがって、本明細書に使用されるように、ＷＬＡＮリンク、およびその変形は、デバイスとＡＰとの間の通信リンクを指す。
【００２１】
[0031]より詳しくは、ＩＥＥＥ８０２．１１は、物理（ＰＨＹ）レイヤおよびＭＡＣプロトコルレイヤで、デバイス１２０ｘ、１２０ｚとＡＰ１０２ａ−１０２ｄとの間のような図１で生じるＷＬＡＮ通信を実行する規格のセットを定義する。
【００２２】
[0032]ＷＬＡＮシステムにおけるポジショニングはさらに、ＡＰとデバイスとの間のビーコン信号の交換に頼る。特に、ＡＰは、タイムスタンプを含む様々な通信関連の情報、パスロス情報、ＡＰ特徴、およびサポートされるデータレートを包含するビーコン信号を周期的にブロードキャストする。これらのビーコン信号の強度は、ポジショニングにおいて特に使用され測定されうる。
【００２３】
[0033]より具体的には、ビーコン信号は、２つのモードで交換されることができる。ポジティブスキャンモードでは、デバイスは、すべてのＡＰからのビーコン送信をリッスンする。これは、どのＡＰがどのデバイスによって通信のために使用されるべきかを決定する（つまり、最強の信号対雑音比を持つＡＰがＷＬＡＮ通信のためにデバイスによって典型的に選択される）ために、ＷＬＡＮにおける通信機能の一部として行われる。アクティブスキャンとして知られる代替のモードでは、デバイスは、近隣ＡＰに以上で言及したプローブを送る。
【００２４】
[0034]したがって、ＷＬＡＮポジショニングシステムは、デバイスで受信したビーコンの特性を区別することと物理位置との間の関係の、ビーコン処理を介して送信される、知識に部分的に基づいて動作する。具体的には、ＷＬＡＮポジショニングは、デバイスと物理的に区別されるＷＬＡＮ  ＡＰとの間で交換されるビーコン信号の特徴とモバイルデバイスの位置との間の依存状態を利用する。特に、４つの信号特性は、到来角（ＡｏＡ）、到来時間（ＴｏＡ）、到来時間差（ＴＤｏＡ）および受信信号強度（ＲＳＳ）を含むポジショニングのために使用されうる。
【００２５】
[0035]ＡｏＡは、デバイスのアンテナ上の電波の入射の方向を測定する。２つまたはそれ以上のそのような角度を与える、正確な角度測定は、デバイスのポジションを決定するために使用されうる。
【００２６】
[0036]ＴｏＡは、送信機からデバイスの受信機への無線信号の到来時間を測定する。無線信号が既知の速度で動くので、ＴｏＡは、送信機と受信機との間の距離を決定するために使用されうる。３つまたはそれ以上のそのような距離を与える、循環的なラテレーション（lateration）は、デバイスのポジションを見出すために使用されうる。ＴＤｏＡは、２つの異なる受信機でのＴｏＡ中の差を測定する。ＴｏＡポジショニングと類似しているので、３つまたはそれ以上のＴＤｏＡ測定は、双曲線ラテレーションを使用してデバイスの位置を決定するために使用され、ＲＳＳは、モバイルデバイスで受信された無線信号電力を測定する。
【００２７】
[0037]ＡｏＡがＷＬＡＮポジショニングにおいて使用されるが、その測定は、追加のハードウェアコストにつながる専用のアンテナを要求する。さらに、ＴｏＡとＴＤｏＡは、ＷＬＡＮにおいて達成するためには非常に困難である、送信機と受信機との間の正確な同期を要求する。ＲＳＳは、通信のために最も適切なＡＰを選択するために、デバイスによって測定されうる。ＲＳＳの使用は、追加のハードウェアまたは非常に正確な動機を必要とせずに、比較的単純である。これは、ほとんどのＷＬＡＮポジショニングシステム中でＲＳＳに選択の特性を作る。
【００２８】
[0038]ＲＳＳは、送信機と受信機との間の増加する距離とともに低減する。したがって、ＲＳＳの位置依存性は、有効にデバイスの位置を決定するために使用されることができる。特に、ＲＳＳは、送信機と受信機との間の距離の２乗に反比例する。ＲＳＳはさらに、関連する送信機によって電気信号から変換された電磁波を送信するアンテナからのアンテナ指向性図として生成されたビームの形状に依存しうる。ビームは、ビームフォーミングとして知られている技術を通じて形成されうる。ビームフォーミングは、大きな指向性アンテナをシミュレートするためにアンテナのセットからの無線信号を組み合わせることによってビームの形状を変更する。セットからのアンテナの異なる組み合わせを適用することによって、大きな指向性アンテナの利得に影響を及ぼし、それは、受信機でのＲＳＳに影響を及ぼす。したがって、送信された電力、ビーム形状、およびＲＳＳの測定値を考慮すれば、送信機とデバイスとの間の距離が決定されうる。
【００２９】
[0039]モバイルデバイスの物理的な位置を決定するためにＡＰからのＲＳＳを適用する１つの技術は、フィンガープリンティングである。フィンガープリンティングとは、既知の位置と共に基準点（つまりアンカーポイント）のセットからのトレーニング信号を使用する。フィンガープリンティングは、２つのフェーズ、オフラインフェーズとオンラインフェーズ、で実装される。ネットワークが展開されているときのような、オフラインフェーズでは、ターゲットエリア（例えば、屋内設備）内のそれぞれの位置でのＡＰのフィンガープリント（例えば、受信信号強度）の測定が行なわれうる。その後、これらの位置フィンガープリントは、既知の位置のＡＰ特徴および座標を関連付けるために、いわゆる無線マップをもたらすデータベースに格納されうる。オンラインフェーズでは、ネットワークの動作中に、未知の位置の遠隔局に関連したフィンガープリントが測定される。
【００３０】
[0040]図２は、フィンガープリンティングがアクセスポイント１０２ａ−１０２ｄに関して既知の座標を持つアンカーポイント４０１を使用して適用されうる、屋内設備４０７のレイアウト４００を描写する。設備の全体にわたって、制御／共有チャネル信号（例えば、以上で議論したように、プローブ要求／応答フレーム）を使用して送信する複数の固定ワイヤレスＡＰ１０２ａ−１０２ｄがある。図２は４つのＡＰを示すが、本発明の実施形態は、任意の数のＡＰを使用しうる。デバイス１２０ｘは、これらの送信をモニタしうる。各ＡＰ１０２ａ−１０２ｄは、ＭＡＣアドレスのような、固有のハードウェア識別子を包含する。デバイス１２０ｘのデバイスポジショニングモジュール５３２は、その範囲中のＡＰ１０２ａ−１０２ｄからの送信を受信し、ＡＰ送信信号のビーコン特徴を使用して、該ビーコン特徴をアンカーポイント４０１のビーコン特徴とマッチさせることによって屋内設備中のデバイス１２０ｘの地理的な位置を計算する。それらの特徴は、ＡＰ１０２−１０２ｄそれぞれの固有の識別子（つまり、ＭＡＣアドレス）と、カバレージエリア１１０によってサービスされる屋内の物理的レイアウト、デバイス１２０ｘのＲＳＳ、ＡＰ１０２ａ−１０２ｄからの信号の送信電力、およびＡＰ１０２ａ−１０２ｄそれぞれのビーム形状を含む。
【００３１】
[0041]デバイスポジショニングモジュール５３２は、観察されたＡＰの特徴をアンカーポイント４０１に関連したＡＰの参照データベース（つまり、メモリ５２９）のものと比較する。このメモリ５２９は、デバイス１２０ｘ中に存在するまたは存在しえない、つまり、それはネットワークサーバ（図示されていない）またはデバイス１２０ｘに通信のために接続されるような同様なものに存在しうる。メモリ５２９は、他の情報の中に、各ＡＰの（ＲＳＳおよびビーム形状のような）電力プロファイルおよび計算された地理的位置を包含する。これらの既知の位置および特徴を使用して、デバイスポジショニングモジュール５３２は、ＡＰ１０２ａ−１０２ｄの既知の位置と相対的なデバイス１２０ｘのポジションを計算し、屋内設備４０７内も屋内設備４０７の任意の部屋４０３またはホール４０５内の、緯度と経度、または緯度、経度、および高度の形式のような、デバイス１２０ｘの絶対的な地理的座標を決定しうる。
【００３２】
[0042]図３Ａは、開示に従うＰ２Ｐ通信およびＷＬＡＮ通信の能力のある強化ＷｉＦｉデバイス１２０ｘのブロック図を示す。デバイス１２０ｘ内で、受信機５１２は、限定しない例示の目的のために、Ｐ２Ｐ通信のために他のデバイスによって送信された信号、発見信号、およびＷＬＡＮ通信のためにＡＰによって送信されたダウンリンク信号を受信しうる。送信機５１４は、限定しない例示の目的のために、Ｐ２Ｐ通信のために他のデバイスにＰ２Ｐ信号を、ピア発見信号を、そしてＷＬＡＮ通信のためにＡＰにアップリンク信号を送信しうる。
【００３３】
[0043]センシングモジュール５１６は、例えば、ＡＰから受信したビーコン信号または他のデバイス１２０ｘおよび１２０ｚからのピア発見信号を使用することによって他のデバイスの存在を検出しうる。センシングモジュール５１６は、ＲＳＳおよび／またはビーム形状のような、ＡＰの存在を検出する、および／または検出されたデバイスおよびＡＰのための、チャネル利得、受信電力、等を追加的に測定しうる。
【００３４】
[0044]発見モジュール５１８は、受信機５１２によって受信した信号から発見情報を受信しうる。発見モジュール５１８は、この発見情報に基づいて、例えば、センシングモジュール５１６から追加的に受信した情報に基づいて、後の発見努力の結果を修正する。発見モジュール５１８はさらに、本明細書で議論するように、ＡＰ１０２、センシングモジュール、および／または他のデバイスから受信した発見情報に基づいて衝突回避技術を指示する。
【００３５】
[0045]デバイスポジショニングモジュール５３２は、受信機５１２から信号を受信し、信号の特徴を使用して、デバイス１２０ｘの地理的位置を計算する。そのため、デバイスポジショニングモジュール５３２は、センシングモジュール５１６および発見モジュール５１８と通信し、センシングモジュール５１６および発見モジュール５１８から情報を受信する。
【００３６】
[0046]Ｐ２Ｐ通信モジュール５２４は、例えば、Ｐ２Ｐ通信をサポートし、Ｐ２Ｐ通信のために使用される信号を生成し、処理しうる。ＷＬＡＮ通信モジュール５２６は、例えば、ＷＬＡＮ通信をサポートし、ＷＬＡＮ通信のために使用される信号を生成し、処理しうる。
【００３７】
[0047]デバイスとの通信におけるＷＬＡＮ中のＡＰが、通信を安全にするために、プレゼンテーションレイヤで、暗号化手法、または他のセキュリティおよびデータ信頼性技術を実装するので、デバイス１２０ｘは、暗号化解読モジュール５３６を含みうる。暗号化解読モジュール５３６は、ＡＰの発見を可能にするために、例えば、ＡＰ、からの安全な情報を暗号解読することによって発見モジュールが発見を実行することを可能にする。
【００３８】
[0048]デバイス１２０ｘ内の様々なモジュールは、本明細書全体に記述されるように動作しうる。さらに、制御器／プロセッサ５２８は、デバイス１２０ｘ内の様々なモジュールのオペレーションを指示しうる。メモリ５２９は、デバイス１２０ｘのためのデータとプログラムコードを記憶しうる。例えば、以上で参照されるように、メモリ５２９は、計算された地理的位置およびそれぞれのＡＰの他のＡＰ特徴を包含しうる。
【００３９】
[0049]図３Ｂは、Ｐ２Ｐ通信およびＷＬＡＮ通信をサポートするＡＰ１０２ｘのブロック図を示す。ＡＰ１０２ｘ内では、受信機５１１は、ＷＬＡＮ通信およびＰ２Ｐ通信をサポートするデバイスによって送信されたアップリンク信号を受信しうる。送信機５１３は、ＷＬＡＮ通信およびＰ２Ｐ通信をサポートするデバイスにダウンリンク信号を送信しうる。メモリ５５９は、ＡＰ１０２ｘのためのデータおよびプログラムコードを格納しうる。
【００４０】
[0050]ＡＰ１０２ｘが、１つより多くのアンテナ５４９を包含する場合、送信機５１３は、ビームフォーミングを通じて、発見モジュール５１７に応答してダウンリンク信号の送信のためにアンテナ指向性図の一部としてビームの形状を変更しうる。発見モジュール５１７は、デバイスからまたはデバイスへの、あるいは他のＡＰからまたは他のＡＰへの特定の送信電力を有する信号を含む、例えば、以上で議論したビーコン信号のような送信発見情報を受信し生成しうる。発見モジュール５１７は、この発見情報に基づいて、例えば、センシングモジュール５１５から受信した追加の情報に基づいて、後の発見情報を修正する。発見モジュールは、発見情報、センシングモジュール５１５および／または他のデバイスからの情報に基づいて、本明細書で議論されるように、衝突防止技術をさらに指示しうる。発見モジュール５１７は、暗号化モジュール５３３と共に通信のために動作しうる。
【００４１】
[0051]センシングモジュール５１５は、デバイス（例えば、１２０ｘ）の存在を検出し、例えば、検出されたデバイス（例えば、１２０ｘ）のチャネル利得、受信電力、等を測定しうる。センシングモジュール５１５によって他のデバイスの検出は、限定しない例示の目的で、発見モジュール５１７からのインジケーションに応答可能なように行われる。センシングモジュールは、暗号化モジュール５３３との通信において動作しうる。
【００４２】
[0052]リソース割り当てモジュール５１９は、デバイス間のＰ２Ｐ通信に必要とされるリソースを割り当てうる。ＷＬＡＮ通信モジュール５２５は、デバイスのためのＷＬＡＮ通信をサポートしえ、例えば、ＷＬＡＮ通信のために使用される信号を生成し処理する。バックホール通信モジュール５３１は、バックホールを介して他のネットワークエンティティ（例えば、他のＡＰ）との通信をサポートしうる。ＡＰ１０２ｘ内の様々なモジュールは、本明細書に記述されるように動作しうる。制御器／プロセッサ５２７は、ＡＰ１０２ｘ内の様々なモジュールの動作を指示しうる。メモリ５５９は、ＡＰ１０２ｘのためのデータとプログラムコードを記憶しうる。
【００４３】
[0053]ＷＬＡＮのＡＰは、許可されたデバイスへの通信を安全にするために、プレゼンテーションレイヤで暗号化、または他のセキュリティおよびデータ信頼性技術を実装し、そのようなセキュリティおよび信頼性技術は、暗号化モジュール５３３によって実行されうる。より詳しくは、ＡＰは、暗号化モジュール５３３を介してビーコン情報に伝えられたセキュリティに基づいて安全な方法で、発見モジュールによって指示されるように、発見情報を通信しうる。例えば、ＷＬＡＮのＡＰは、秘密鍵のような、暗号化キーを使用して、情報を伝達しうる。
【００４４】
[0054]例えば、デバイス１２０ｘは、ＡＰから暗号化された情報を受信し、検出された情報の許可を確認することを要望しうる。従って、デバイスは、ＷＬＡＮのＡＰに既知の秘密鍵を使用して生成された、符号付き通信（signed communication）を受信しうる。受信情報が第１の公開鍵を使用して生成されるかどうか決定することによって（例えば、公開鍵を使用してＡＰに応答し、ＷＬＡＮが応答を受信したという確認を待つことによって）ＡＰが情報を所有するかどうか決定する。ここで、第１の公開鍵は、秘密鍵に対応するものとして確認されなければならない。
【００４５】
[0055]すなわち、この暗号化情報は、暗号化モジュール５３３によって（例えば、秘密鍵を使用して）暗号化され、特定の送信電力レベルおよび特定のビーム形状（例えば、ビーム幅）でアンテナまたはアンテナ５４９を通じてＡＰから送信される。その後、デバイスは、暗号解読モジュール５３６を使用して受信機で受信した情報を、例えば公開鍵を使用するなどして、暗号解読しうる。
【００４６】
[0056]図４Ａは、デバイス１２０ｘがそのポジションを決定することを可能にするような、発見（および／またはデータ）情報がＡＰ１０２ａ−１０２ｂからＷｉＦｉデバイス（例えば、１２０ｘ）へ送信される電力選択を使用する、典型的な、既知の電力レベル選択の説明である。特に、図４Ａは、時間に関してのＡＰ１０２ａ、１０２ｂのそれぞれの送信電力を示す。示されるように、ＡＰ１０２ａは、１０ｄＢの定電力で信号を送信する一方、ＡＰ１０２ｂは、８ｄＢの定電力で信号を送信する。
【００４７】
[0057]図４Ｂは、典型的な、既知のアンテナパターン選択を使用して送信するＡＰ１０２ａ−１０２ｂの説明である。図４Ｂは、放射角が時間経過しても一定であり続ける、特定の角度で放射するビームを形成するように各ＡＰが構成される構成を示す。例えば、ＡＰ１０２ａは、６０度の幅を有するビームを提供する一方、ＡＰ１０２ｂは、３６度の幅を有するビームを提供する。
【００４８】
[0058]しかしながら、既知の方法およびシステムのプレゼンテーションレイヤでの暗号化手法の参照された利用にもかかわらず、無許可のデバイスは、図４Ａおよび４Ｂに説明される固定された送信電力レベルおよび固定されたビーム形状に少なくとも部分的に基づいて、ＡＰの位置をそれでもなお決定することができうる。例えば、無許可のユーザは、以前許可され、したがって、ＷＬＡＮ中のＡＰの送信電力およびビーム形状のような特徴のいくつかの知識を有しうる。
【００４９】
[0059]例えば、ホテルの宿泊客は、設定期間に対するホテルのＷＬＡＮサービスの代金を支払い、それに応じて、そのホテルのＷＬＡＮサービスへのアクセスを獲得しうる。このアクセスを獲得するために、宿泊客は、プレゼンテーションレイヤでセキュリティを満たすセキュリティコードを入力し、したがって、ＷＬＡＮのＡＰに宿泊客のデバイスを認証することを可能にする。認証される際、デバイスは、ＡＰからＡＰの特徴を受信する。ここにおいて、これらの特徴は、時間にわたって一定である。この情報は、それぞれのＡＰの固有の識別子、特定の屋内設備中のＡＰの物理的な位置、プレゼンテーションレイヤで実装される暗号化のタイプ、等を追加で含みうる。その後、この情報は、宿泊客のデバイスのメモリ５２９に記憶されうる。認証のための時間期間が終了した後、この例示におけるホテル宿泊客はもはやホテルのＷＬＡＮサービスを利用することが許可されない。
【００５０】
[0060]しかしながら、許可を失ったにもかかわらず、ユーザのデバイスは、そのメモリ中に、ホテルのＷＬＡＮのそれぞれのＡＰに関する情報をまだ有する。ＡＰのあるパラメータが変更されない限り、無許可のユーザは、比較的容易に、プレゼンテーションレイヤにおける特定のセキュリティコード（例えば、鍵、パスワード、等）を解読するように試み、それによってＷＬＡＮへのアクセスを獲得しうる。一旦アクセスが獲得されれば、デバイスは、以前に知り一定のＡＰ情報に基づいてその物理的な位置を簡単に決定しうる。
【００５１】
[0061]この無許可の使用に対抗するために、ＷＬＡＮは、その関連するＡＰのある特徴を変更しうる。しかしながら、多くのそのような特徴は、容易に修正されない。例えば、そのＡＰの場所を規則的に変更する、またはＷＬＡＮがサービスする地理的環境のレイアウトを変えることは特に負担となりうる。したがって、ＷＬＡＮは、高度な暗号化技術を持つプレゼンテーションレイヤにおける以前に議論したセキュリティを、またはプレゼンテーションレイヤ以外の通信レイヤ中のさらなるセキュリティプロトコルで、補足しうる。しかしながら、高度な技術は、かなりの処理リソースおよびオーバヘッドをとり、したがって、望ましくない。
【００５２】
[0062]そのため、本開示の実施形態は、ユーザの位置を決定するために、例えば、ＡＰポジションの先在の知識、電力レベル、および／または特定の設備におけるビーム形状に基づくような、ＷＬＡＮのＡＰを利用することから無許可のユーザを制限することに向けられる。開示の実施形態は、例えば、ランダムまたは擬似ランダムの方法におけるＡＰのビーム形状および／または送信電力を変更する秘密鍵関数を使用することによって、物理レイヤで暗号化技術を用いうる。
【００５３】
[0063]例えば、それぞれのＡＰのビーム形状および／または送信電力のような、物理レイヤ特徴が変化する場合、無許可のユーザが許可された時間期間の間のそれぞれのＡＰのビーム形状または送信電力の知識を彼らが有するとしても、ユーザの再認証は、少なくとも、送信電力またはビーム形状が時間で変化するために困難になるだろう。従って、現在無許可のユーザは、（デバイスの受信機からＡＰの送信機までの距離から典型的に導出される）現在の位置が、特定のＷＬＡＮを利用するためにユーザが許可された時間以後に変更される、（デバイスに距離を測ることを許容する）ＡＰの送信電力の知識、および（デバイスに特定のＡＰの方向性を測ることを許容する）ビーム形状の知識に依存するという事実に少なくとも部分的によるため、現在の位置を正確に決定できないだろう。したがって、複数のＡＰが同程度の方法で行動する場合、モバイルデバイスが呼吸変更（breathing change）の知識（例えば、鍵）を有する場合にユーザのモバイルデバイスのポジショニングが実行できるような呼吸セル（breathing cell）を形成することができる。
【００５４】
[0064]例えば、送信電力および／またはビーム形状は、ランダムに、擬似ランダムに、または鍵の所定のセットから変更されうる。送信電力および／またはビーム形状が鍵の所定のセットから変更された場合には、所定のセットから特定の鍵がランダムにまたは擬似ランダムに同様に選択される。さらに、鍵は、週、月、年等の経過の間のランダムな時間で変更されうる。しかしながら、鍵は、平均的なユーザが設備のＷＬＡＮにアクセスすることを試みる所与の設備に戻りうるのと少なくとも同じくらいの頻度で変更されることが好ましい。例えば、平均的なユーザが２５日毎にそのポジションを決定するために特定の設備のＷＬＡＮへのアクセスを獲得することを試みる場合、２５日毎に少なくとも１度より多くの頻度でＷＬＡＮのＡＰの鍵を変更する必要がありうる。
【００５５】
[0065]図５Ａは、開示された実施形態に従って送信電力の変形を説明するタイミング図である。図５Ａでは、ＡＰ１０２ａ−ｂは、時間に関して一定電力レベルで信号を送信できない。それどころか各（または１つまたは複数の）ＡＰの送信電力は、時間とともに変わり、各ＡＰは、呼吸セルを形成する。限定しない例示のみの目的のために、図５Ａ中で示されるように、ｔ０で、ＡＰ１０２ａは、６ｄＢの電力レベルで、ｔ１で１５ｄＢの電力レベルで、ｔ２で６ｄＢの電力レベルで信号を送信するように構成されうる。各ＡＰの送信電力がある時間で減少しうるときでさえ、特定のエリアの十分なカバレージ（例えば１１０ａ）を維持するために、ＡＰ１０２ａと１０２ｂの時間変化する物理レイヤ関数は、調整される（例えば、ＡＰのそれぞれの送信電力の間で所定の関係が存在しうる）。端的に言えば、ＡＰ１０２ａの送信電力が減少した場合、ＡＰ１０２ｂの送信電力は、カバレージを維持するために増加し、その逆も同じでありうる。
【００５６】
[0066]図５Ｂは、開示される実施形態に従うＡＰ１０２ａ−１０２ｂそれぞれの、様々なビームの特徴、つまり、ビームフォーミングを通じて修正されるような、ビーム形状または方向を説明するタイミング図である。特に、図５Ｂは、時間に関してＡＰ１０２ａ−１０２ｂのそれぞれのビーム形状のバリエーションを説明する。もちろん、当業者は、ビーム形状修正の他の方法が例示の実施形態に従って実行されることを、開示の観点から、認識することになる。
【００５７】
[0067]示されるように、ＡＰ１０２ａは、ｔ０で２０度の幅でビームを提供するように構成されうる。しかしながら、そのうちに、ＡＰ１０２の送信アンテナによるビーム出力のビーム幅は、この例示の実施形態において変わる。例えば、ｔ１で、ＡＰ１０２ａは、６０度の幅でビームを提供するように変わり、その後、ｔ２で、２０度の幅を有するビームに変わる。同様に前述した送信電力の変動と同様に、特定のエリア（例えば１１０ａ）の十分なカバレージを維持するために、ＡＰ１０２ａおよび１０２ｂの時間変化する物理レイヤ関数は、調整される（例えば、それぞれのＡＰがそれぞれのビーム形状および／または方向の間のような所定の関係を維持しうる）。例えば、ＡＰ１０２ａのビーム方向が一方向に変わる場合、ＡＰ１０２ｂのビーム方向は、ＡＰ１０２ａのビーム方向の変更によってカバーされなくなった任意のエリアを補うために別の方向に変わる。
【００５８】
[0068]本開示の実施形態の特定の例では、図６Ａは、デバイス１２０ｘに送信する、時刻ｔ０およびｔ１で設備の特定の部屋における、それぞれのＡＰ１０２ａ、１０２ｂの例示の送信電力および例示のビーム形状を説明する。例示において、ｔ０で、ＡＰ１０２ａ、１０２ｂは、ビーム幅、Φ、例えば、３６度、によって少なくとも部分的に定義されるビーム形状を持つ、それぞれ、８ｄＢおよび１５ｄＢでの（それぞれアンプリチュードＡ１およびＡ２で示される）送信電力それぞれを有する。ｔ０より任意の時間期間後である、ｔ１で、ＷＬＡＮによって、ＡＰ１０２ａの送信電力が変わる、つまり、アンプリチュードＡが１６ｄＢに変わり、そしてアンプリチュードＡ２が７ｄＢに変わる、一方、ビーム形状は、一定のままである。さらに、電力レベルがｔ０とｔ１との間に変わるが、カバレージエリアは、同様のものである。
【００５９】
[0069]当業者は、そのような修正を行うＷＬＡＮネットワークエンティティが例えば、ネットワークハブでありうることを認識することになるだろう。例えば、ネットワークハブは、ＡＰサーバとして動作し、ＷＬＡＮ中のＡＰのうちの他のものと通信するＡＰ、ＷＬＡＮ中のＡＰのうちの１つまたは複数のものと通信するネットワークサーバまたは同様のネットワークノード、ＷＬＡＮ中のＡＰの１つまたは複数のものと通信するセルラ基地局、ＷＬＡＮ中のＡＰのうちの１つまたは複数のものと通信する衛星回線、または同様なものでありうる。
【００６０】
[0070]別の特定の例示では、図６Ｂはさらに、デバイス１２０ｘに送信する、時刻ｔ０およびｔ１での特定の設備の部屋における、それぞれのＡＰ１０２ａ、１０２ｂの送信電力およびビーム形状／方向を説明する。しかしながら、図６Ａの例と異なり、ＡＰ１０２ａ、１０２ｂのそれぞれのビーム形状は、ｔ０からｔ１までに変動する。特に、ｔ０で、ＡＰ１０２ａ、１０２ｂは、角度Φ１＝３６度およびΦ２＝６０をもつ形状を有するビームで信号を送信しうる。ｔ０より任意の後の時間期間でありうる、ｔ１で、ＷＬＡＮは、ＡＰ１０２、１０２ｂそれぞれのビーム形状を５０度および３０度に変更する一方、送信電力Ａは、一定であり続ける。当業者は、物理レイヤ暗号化が送信電力またはビーム形状／方向における変動の独立使用を通じて提供されるだけでなく、追加的に、交互形式のような非同時、または同時のいずれかの、送信電力およびビーム形状／方向の変動の組み合された使用を含みうる、ことを開示の観点から、さらに了解されることになるだろう。
【００６１】
[0071]図７は、ＡＰ１０２ａ、１０２ｂ、デバイス１２０ｘ、１２０ｚとの間のシグナリングを説明するシグナリング図であり、デバイス１２０ｘは、それがエリアをカバーするＷＬＡＮを使用するように許可されない場合にエリアに入る能力があり、デバイス１２０ｙは、それがエリアをカバーするＷＬＡＮを使用ように許可された場合にエリアに入る能力がある。
【００６２】
[0072]ステップ９０１ａ−９０１ｄで、デバイス１２０ｘ、１２０ｙは、プローブ要求フレームを送信し、デバイス１２０ｘ、１２０ｙに、範囲内に（例えば、ＷＬＡＮ１１０内に）任意のＡＰを配置することを認める。プローブ要求フレームは、デバイス１２０ｘ、１２０ｙそれぞれに識別子を含みうる。ステップ９０３ａ―９０３ｄで、（例えば、ＡＰ１０２ａ、１０２ｂを示すような）範囲内のＡＰは、プローブ応答フレームで応答しうる。デバイス１２０ｘ、１２０ｙは、どのＡＰがＷＬＡＮアクセスのために最適かを決定し、それに応じてステップ９０５ａ−９０５ｄで認証要求を送る。
【００６３】
[0073]ステップ９０７で、それぞれの識別子に基づいて、ＡＰ１０２ａ、１０２ｂは、認証を通じて、各またはどちらか一方のデバイス１２０ｘ、１２０ｙがＷＬＡＮを使用するように許可されるかどうか決定しうる。つまり、ステップ９０７で、ＡＰ１０２ａ、１０２ｂは、デバイス１２０ｘ、１２０ｙのいずれかまたは両方がＡＰの特徴およびＷＬＡＮの特徴に基づいてそのポジションを決定するために許可されるかどうか決定しうる。例えば、ＡＰ１０２ａ、１０２ｂは、デバイス１２０ｘが現在のところ許可されないと決定しうる。従って、ＡＰ１０２ａ、１０２ｂは、デバイス１２０ｘにそれぞれの物理レイヤプロフィール情報を送信しえない。
【００６４】
[0074]しかしながら、デバイス１２０ｙが許可されると決定した場合、ステップ９０９ａおよび９０９ｂで、ＡＰ１０２ａ、１０２ｂは、それらそれぞれの物理レイヤ暗号化プロフィールのような、それらそれぞれのプロフィール情報を送信し、それは、デバイス１２０ｙに、フィンガープリンティングのオフラインフェーズで取得された情報を追加的に備えうる。特に、ＡＰ１０２ａ、１０２ｂは、少なくともそれらそれぞれの物理位置および物理レイヤ暗号化鍵情報を送信しうる。暗号化鍵情報は、例えば、時間変化する送信電力関数のうちの少なくとも１つを示す暗号化関数、時間変化するビーム形状／方向関数のうちの少なくとも１つを含みうる。その後、この情報は、デバイス１２０ｙのメモリに記憶される。この受信し記憶された情報に基づいて、デバイス１２０ｙは、ステップ９１１で、たとえば、その現在のポジションを解読するために、物理レイヤ暗号化関数を暗号解読し、設備中でＷＬＡＮの利用を行いうる。
【００６５】
[0075]図８は、固定されたまたは可動性のノードによってネットワークセキュリティを提供するような、カバレージの変動のための方法１０００を説明するフローチャートである。ステップ１００２で、ノードは、少なくとも１つの暗号化鍵で提供されうる。この鍵は、（例えば、メッセージ、データ、等を保護するために）情報を搬送するために使用され、公開鍵でありうる。鍵は、例えば、ノードの送信電力またはビーム形状／方向のような、時間変化する物理レイヤ関数のような、可変関数を有する暗号化関数テーブルを備える、または鍵は、そのような関数テーブルに対するインデックスを備えうる。鍵は、所定の間隔で変化しうる。鍵は、ランダムに生成される、擬似ランダムに生成される、または利用可能な鍵のセットから選択されうる。ここで、セットは、所定のサイズを有する。例えば、鍵セットは、１０個の鍵を含み、鍵は、セットから選択されうる。さらに、異なるセットは、異なる時期に利用可能であり、使用中のセットは、変化し、各セットは、異なるサイズを有しうるまたは同じサイズを有しうる、つまり、各セットは、５個と１５個の間の鍵を有するまたは、各セットは、１０個の鍵を有しうる。
【００６６】
[0076]オプションの実施形態では、関数は、ノードによって提供されるカバレージに近接する少なくとも１つの他のノードの物理レイヤ態様への依存を含むおよび／または説明しうる。鍵は、例えば、ノードに、ダウンロードを介して、例えば、ノードがメンバであるＷＬＡＮから受信される。より詳しくは、ＷＬＡＮに関連した制御器は、ステップ１００２でノードに鍵を提供しうる。
【００６７】
[0077]ステップ１００４で、鍵に従って、ノードからの送信に関連したカバレージが変えられる。オプションのステップ１００６で、オプションのステップ１００５で受信した少なくとも１つのモバイルデバイスによるアクセス要求に応答して、ノードは、ＷＬＡＮに交換されたモバイルデバイスの識別子に基づくような、要求しているモバイルデバイスがカバレージエリアを使用するように許可される、インジケーションを受信しうる。さらに、ステップ１００６で許可されたデバイスの評価はさらに、例えば、ノードによって受信されたデバイス識別子と許可されたデバイスの識別子のリストとの比較を介して、ノードによって主に行われうる。ここで、リストは、ノードに常駐し、周期的にアップデートされる、またはリストは、サーバまたはＷＬＡＮに関連する同様の記憶ロケーションに常駐しうる。従って、オプションのステップ１００８で、鍵は、要求し、許可されたモバイルデバイスに、２４時間のような所定の時間に、例えば、ダウンロードを介して、少なくとも一時的に提供され有効となる。
【００６８】
[0078]図９は、（固定されたまたは可動性のものである）少なくとも１つのノードのカバレージにアクセスするモバイルデバイスのための方法１１００を説明するフローチャートである。ステップ１１０２で、モバイルデバイスは、少なくとも１つのノードに識別子情報を送り、それによって、少なくとも１つのノードがメンバであるＷＬＡＮにアクセスする許可を要求する。少なくとも１つのノードによる認証の後、ステップ１１０４で、モバイルデバイスは、物理レイヤ暗号化鍵を受信しうる。この鍵は、（例えば、メッセージ、データ、等を保護するために）情報を搬送するように使用される秘密鍵でありうる。鍵は、例えば、ノードの送信電力またはビーム形状／方向のような、時間変化する物理レイヤ関数のような、その中に可変関数を有する暗号化関数テーブルを備える。オプションの実施形態では、関数は、ノードによって提供されるカバレージに近接する少なくとも１つの他のノードの物理レイヤ態様の依存性を含むおよび／または説明しうる。ステップ１１０６で、モバイルデバイスは、物理レイヤ暗号化関数を暗号解読するために物理レイヤ暗号化鍵を使用しうる。ステップ１１０８で、モバイルデバイスは、モバイルデバイスの現在のポジションを解読するために、解読された物理レイヤ関数を使用し得る。
【００６９】
[0079]図１０に関して、ワイヤレスネットワークにおけるネットワークエンティティとして、またはプロセッサあるいはネットワークエンティティ内での使用のための同様のデバイス／コンポーネントとして、構成されうる、例示の装置１２００が提供される。装置１２００は、プロセッサ、ソフトウェア、またはそれらの組み合わせによって実装された機能を表わすことができる機能ブロックを含みうる。例えば、装置１２００は、物理レイヤ暗号化鍵にアクセスするために電気部品またはモジュール１２０１（例えば、ＡＰ１０２ｘの暗号化モジュール５３３）を含みうる。装置１２００はさらに、（例えば、ノードからの）送信に関連したカバレージを、物理レイヤ暗号化鍵にしたがって、変えるための電気部品またはモジュール１２０３（例えば、ＡＰ１０２ｘの送信機５１３）を含みうる。電気部品またはモジュール１２０５（例えば、ＡＰ１０２ｘの受信機５１１）は、カバレージにアクセスするためにモバイルデバイスからの要求を受信しうる。装置１２００はさらに、カバレージにアクセスするモバイルデバイスの許可を評価するための電気部品またはモジュール１２０７（例えば、ＡＰ１０２ｘの暗号化モジュール５３３）を含みうる。許可されたモバイルデバイスのうちの１つからの要求に応じて、電気部品またはモジュール１２０９（例えば、ＡＰ１０２ｘの送信機５１３）は、許可されたモバイルデバイスに物理レイヤ暗号化鍵を提供しうる。
【００７０】
[0080]図１１に関して、ワイヤレスネットワークにおけるネットワークエンティティ（例えば、モバイルデバイス）として、またはプロセッサあるいはネットワークエンティティ内での使用のための同様のデバイス／コンポーネントとして構成されうる例示の装置１３００が提供される。装置１３００は、プロセッサ、ソフトウェア、または、その組み合わせ（例えば、ファームウェア）によって実施される機能を表しうる機能ブロックを含みうる。例えば、装置１３００は、少なくとも１つのノードに識別子情報を送信するために電気部品またはモジュール１３０１（例えば、デバイス１２０ｘの送信機５１４）を含みうる。少なくとも１つのノードによるモバイルデバイスの認証の後、装置１３００はさらに、物理レイヤ暗号化鍵を受信するための電気部品またはモジュール１３０３（例えばデバイス１２０ｘの受信機５１２）を含みうる。電気部品またはモジュール１３０５（例えば、デバイス１２０ｘの暗号解読モジュール５３６）は、物理レイヤ暗号化関数を暗号解読するための物理レイヤ暗号化鍵を使用するためのものでありうる。装置１３００はさらに、モバイルデバイスの現在のポジションを解読するために、物理レイヤ関数を使用するための電気部品またはモジュール１３０７（例えばデバイスポジショニングモジュール５３２）を含みうる。
【００７１】
[0081]関連する態様では、装置１２００および１３００は、バス１２５２および１３５２それぞれ、または同様の通信結合を介して、コンポーネント１２０１−１２０９および１３０１−１３０７とそれぞれ有効な通信をする、コンポーネント５２７および５２８をそれぞれオプションとして含みうる。プロセッサ５２７および５２８は、電気部品１２０１−１２０９  および１３０１−１３０７によって実行される機能またはプロセスの開始またはスケジューリングに影響しうる。
【００７２】
[0082]他の関連する態様では、本明細書に説明された装置は、無線送信機／受信機コンポーネント５１３／５１１および５１４／５１２をそれぞれ含みうる。スタンドアローン受信機および／またはスタンドアローン送信機は、送信機／受信機コンポーネント５１３／５１１および５１４／５１２それぞれの代わりにまたは連結して使用されうる。装置１２００および１３００がモバイルデバイスまたは同様のネットワークエンティティである場合、その装置はさらに、１つまたは複数のコアネットワークエンティティに接続するためのネットワークインタフェイス（図示せず）を含みうる。これらの装置１２００および１３００の各々は、例えば、メモリデバイス／コンポーネント５５９および５２９のような、情報を記憶するためのコンポーネントをオプションとして含みうる。コンピュータ可読媒体またはメモリコンポーネント５５９および５２９は、例えば、バス１２５２、１３５２、または同様のものを介する装置１２００および１３００の他のコンポーネントに動作可能に接続されうる。メモリコンポーネント５５９および５２９は、装置の各々に記述されるコンポーネントおよびそのサブコンポーネント、あるいは、プロセッサ、または本明細書に開示された方法のプロセスおよび挙動に影響を与えるコンピュータ読取可能な命令およびデータを記憶することに適している。本明細書に記述されたメモリコンポーネントは、装置の各々のコンポーネント各々に関連する機能を実行する命令を保持しうる。メモリコンポーネントの外側にあるように示されているが、各コンポーネントがそれぞれのメモリコンポーネント内に存在可能であることは理解されるべきである。図１０および１１のコンポーネントは、プロセッサ、電子デバイス、ハードウェアデバイス、電気サブコンポーネント、論理回路、メモリ、ソフトウェアコード、ファームウェアコード、等、またはそれらの任意の組み合わせでありうる。
【００７３】
[0083]当業者は、情報および信号が、さまざまな異なる技術および技法のうちの何れかを使用して表されうることを理解するであろう。例えば、上記の説明を通じて参照されうるデータ、命令、コマンド、情報、信号、ビット、シンボル、およびチップは、電圧、電流、電磁波、磁界あるいは磁気粒子、光学界または光学粒子、あるいはそれら任意の組み合わせによって表わされうる。
【００７４】
[0084]当業者はさらに、本明細書における開示に関連して説明された様々な例示的な論理ブロック、モジュール、回路、およびステップは、電子的ハードウェア、コンピュータソフトウェア、あるいはそれらの組合せとして実施されうるということを理解するだろう。ハードウェアおよびソフトウェアの互換性を明確に例示するために、多様な例示的なコンポーネント、ブロック、モジュール、回路、およびステップが、一般にそれらの機能の観点から上記で説明される。このような機能が、ハードウェアとして実装されるか、あるいはソフトウェアとして実装されるかは、特定のアプリケーションおよびシステム全体に課せられる設計制約に依存する。当業者は、各々の特定のアプリケーションに関して、多様な方法で説明された機能をインプリメントすることができるが、このようなインプリメンテーションの決定は、本開示の範囲からの逸脱を引き起こしていると解釈されるべきでない。
【００７５】
[0085]本明細書の開示と関連して記述された様々な実例となる論理ブロック、モジュール、回路は、汎用のプロセッサ、デジタル信号プロセッサ（ＤＳＰ）、特定用途向け集積回路（ＡＳＩＣ）、書替え可能ゲートアレイ（ＦＰＧＡ）または他のプログラマブル論理デバイス、ディスクリートゲートまたはトランジスタ論理、ディスクリートハードウェアコンポーネント、あるいは、本明細書に記述された機能を実行するよう設計されたこれらの任意の組み合わせと一緒に実施または実行されうる。汎用プロセッサは、マイクロプロセッサでありうるが、代替において、このプロセッサは、任意の従来のプロセッサ、コントローラ、マイクロコントローラ、またはステートマシンでありうる。プロセッサも、計算デバイス（例えばＤＳＰとマイクロプロセッサのコンビネーション、複数のマイクロプロセッサ、ＤＳＰコアと協力する１つまたは複数のマイクロプロセッサあるいは他のそのような構成）のコンビネーションとしてインプリメントされうる。
【００７６】
[0086]プロセッサは、例えば、ＤＳＰと、１つのマクロプロセッサ、複数のマイクロプロセッサ、ＤＳＰコアに結合した１つ以上のマイクロプロセッサ、または、その他の上記構成の組み合わせといった計算デバイスの組み合わせとしても実装されうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭ、または、当技術分野において周知の記憶媒体のあらゆる他の形態に存在しうる。例示的な記憶媒体は、プロセッサが記憶媒体から情報を読み出し、記憶媒体に情報を書き込むように、プロセッサに結合される。代替において、記憶媒体は、プロセッサと一体化されうる。プロセッサおよび記憶媒体はＡＳＩＣに存在しうる。ＡＳＩＣは、ユーザ端末内に存在しうる。代替において、プロセッサおよび記憶媒体は、ユーザ端末内のディスクリートコンポーネントとして存在しうる。
【００７７】
[0087]１つまたは複数の典型的な設計において、説明される機能は、ハードウェア、ソフトウェア、ファームウェア、あるいはそれら任意の組み合わせで実装されうる。ソフトウェアで実装される場合には、機能は、コンピュータ可読媒体上で、そして望ましくは非一時的コンピュータ可読媒体上で、１つまたは複数の命令またはコードとして記憶または送信されうる。コンピュータ読み取り可能媒体は、１つの場所から別の場所へのコンピュータプログラムの転送を促進する何らかの媒体を含むコンピュータ記憶媒体および通信媒体の双方を含む。記憶媒体は、汎用または専用コンピュータによってアクセスされることができるいずれの利用可能な媒体でありうる。それに制限されない例として、そのようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、汎用コンピュータまたは専用コンピュータ、あるいは、汎用プロセッサまたは専用プロセッサによってアクセスされることができ、命令やデータ構造形で所望のプログラムコード手段を搬送または記憶するために使用されうるあらゆる他の媒体を備えうる。また、任意の接続は、コンピュータ可読媒体と精確に呼ばれる。例えば、ソフトウェアがウェブサイト、サーバ、あるいは、同軸ケーブル、光ファイバーケーブル、ツイストペア(twisted pair)、デジタル加入者ライン（ＤＳＬ）、あるいは赤外線、無線、およびマイクロ波のような無線技術を使用している他の遠隔ソース、から送信される場合には、同軸ケーブル、光ファイバーケーブル、ツイストペア、ＤＳＬ、あるいは赤外線、無線、およびマイクロ波のような無線技術は、送信媒体の定義に含まれている。ディスク（disk）およびディスク（disc）は、ここで使用される場合、コンパクト・ディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は通常、磁気的にデータを再生するが、ディスク（disc）は通常、レーザーを用いて光学的にデータを再生する。上記の組み合わせもまた、コンピュータ可読媒体の範囲内に含まれるべきである。
【００７８】
[0088]当業者が本開示を実施および使用することを可能にするために、本開示の以上の記述が提供される。これらの開示に対する様々な変更は当業者には容易に明らかであり、本明細書において定義された包括的な原理は、本開示の精神または範囲を逸脱することなく他の変形に適用されうる。よって、本開示は、本明細書において説明される実例および設計に限定されるように意図されたものではなく、本明細書において開示された原理および新規の特徴と矛盾しない最大範囲であると認められるべきである。
【図１】
2015528236.tif 000003
【図２】
2015528236.tif 000004
【図３Ａ】
2015528236.tif 000005
【図３Ｂ】
2015528236.tif 000006
【図４Ａ】
2015528236.tif 000007
【図４Ｂ】
2015528236.tif 000008
【図５Ａ】
2015528236.tif 000009
【図５Ｂ】
2015528236.tif 000010
【図６Ａ】
2015528236.tif 000011
【図６Ｂ】
2015528236.tif 000012
【図７】
2015528236.tif 000013
【図８】
2015528236.tif 000014
【図９】
2015528236.tif 000015
【図１０】
2015528236.tif 000016
【図１１】
2015528236.tif 000017
【手続補正書】
【提出日】平成27年2月26日(2015.2.26)
【手続補正１】
【補正対象書類名】特許請求の範囲
【補正対象項目名】全文
【補正方法】変更
【補正の内容】
【特許請求の範囲】
【請求項１】
ノード（１０２）のカバレージを安全にする方法であって、
時間変化する方法で前記ノード（１０２）からの送信を制御するための時間変化する送信制御情報を含む、物理レイヤ暗号化鍵にアクセスするように前記ノード（１０２）を動作することと、ここにおいて、前記時間変化する送信制御情報は、時間変化する送信電力関数情報、時間変化するビーム形状情報、または時間変化するビーム方向関数情報のうちの少なくとも１つを含む、
前記物理レイヤ暗号化鍵中に含まれる前記時間変化する送信制御情報にしたがって送信関数を変えることによって、前記ノード（１０２）からの送信に関連した送信カバレージを変えるように前記ノード（１０２）を動作することと
を備える方法。
【請求項２】
前記鍵は、１つまたは複数の時間変化する関数を有する暗号化関数テーブルを備える、
請求項１に記載の方法。
【請求項３】
前記時間変化する関数は、時間の関数として変化する、可変送信電力を備える、
請求項２に記載の方法。
【請求項４】
前記時間変化する関数は、時間の関数として変化する、可変ビーム形状を備える、
請求項２に記載の方法。
【請求項５】
前記ノードが、前記カバレージにアクセスするための要求をモバイルデバイス（１２０）から受信することをさらに備える、
請求項１に記載の方法。
【請求項６】
前記ノードが、前記カバレージにアクセスするために前記モバイルデバイス（１２０）の許可を評価することをさらに備える、
請求項５に記載の方法。
【請求項７】
前記評価は、
前記ノードが、前記モバイルデバイス（１２０）の固有の識別子を受信することと、
前記ノード（１０２）が、前記モバイルデバイス（１２０）の許可されたもののリストと前記固有の識別子とを比較することと
をさらに備える、請求項６に記載の方法。
【請求項８】
前記モバイルデバイス（１２０）の許可されたものからの前記要求に応答可能なように、前記ノード（１０２）が、前記許可されたモバイルデバイス（１２０）に前記物理レイヤ暗号化鍵を提供することをさらに備える、
請求項６に記載の方法。
【請求項９】
前記物理レイヤ暗号化鍵は、所定の時間の間有効である、
請求項８に記載の方法。
【請求項１０】
前記物理レイヤ暗号化鍵は、擬似ランダムに生成される鍵を備える、
請求項１に記載の方法。
【請求項１１】
前記物理レイヤ暗号化鍵は、関数テーブルへのインデックスを備える、
請求項１に記載の方法。
【請求項１２】
ワイヤレスネットワークの少なくとも１つのノード（１０２）のカバレージにアクセスするようデバイス（１２０）を動作するための方法であって、
デバイス（１２０）が、前記少なくとも１つのノード（１０２）に識別子情報を送信することと、
前記少なくとも１つのノード（１０２）による認証に際して、前記デバイス（１２０）が、前記ワイヤレスネットワークのノードの時間変化する関数を有する暗号化関数テーブルを備える物理レイヤ暗号化鍵を受信することと、ここにおいて、前記ワイヤレスネットワークのノードのカバレージエリアは、前記時間変化する関数にしたがって時間と共に変化し、前記時間変化する関数は、時間変化する送信電力関数、時間変化するビーム形状関数、または時間変化するビーム方向関数のうちの少なくとも１つを含む、
前記ノードのカバレージエリアが前記時間変化する関数にしたがって時間と共に変化するような前記ワイヤレスネットワークを使用するために、前記物理レイヤ暗号化鍵中に含まれる前記時間変化する関数を使用することと
を備える、方法。
【請求項１３】
前記ワイヤレスネットワークのノードから受信した信号に基づいて前記デバイス（１２０）のポジションの物理的な位置を決定するために前記時間変化する関数を使用することをさらに備える、
請求項１２に記載の方法。
【請求項１４】
前記時間変化する関数は、可変送信電力を備える、
請求項１２に記載の方法。
【請求項１５】
前記時間変化する関数は、可変ビーム形状を備える、
請求項１２に記載の方法。
【請求項１６】
前記デバイス（１２０）は、加入者局である、
請求項１２に記載の方法。
【請求項１７】
前記デバイス（１２０）は、ユーザ機器デバイスである、請求項１６に記載の方法。
【請求項１８】
ノード（１２００）のカバレージを安全にするためのノード（１２００）であって、
時間変化する方法で前記ノード（１２００）からの送信を制御するための時間変化する送信制御情報を含む、物理レイヤ暗号化鍵にアクセスするための手段（１２０１）と、ここにおいて、前記時間変化する送信制御情報は、時間変化する送信電力関数情報、時間変化するビーム形状情報、または時間変化するビーム方向関数情報のうちの少なくとも１つを含む、
前記物理レイヤ暗号化鍵中に含まれる前記時間変化する送信制御情報にしたがって送信関数を変えることによって、前記ノード（１２００）からの送信に関連した送信カバレージを変えるための手段（１２０３）と
を備える、ノード（１２００）。
【請求項１９】
前記物理レイヤ暗号化鍵は、１つまたは複数の時間変化する関数を有する暗号化関数テーブルを備える、
請求項１８に記載のノード（１２００）。
【請求項２０】
前記時間変化する関数は、時間の関数として変化する、可変送信電力を備える、
請求項１８に記載のノード（１２００）。
【請求項２１】
前記時間変化する関数は、時間の関数として変化する、可変ビーム形状を備える、
請求項１８に記載のノード（１２００）。
【請求項２２】
前記カバレージにアクセスするための要求をモバイルデバイス（１２０）から受信するための手段（１２０５）をさらに備える、
請求項１８に記載のノード（１２００）。
【請求項２３】
前記カバレージにアクセスするように前記要求しているモバイルデバイス（１２０）の許可を評価するための手段（１２０７）をさらに備える、
請求項２２に記載のノード（１２００）。
【請求項２４】
前記モバイルデバイス（１２０）の許可されたものからの前記要求に応答可能なように、前記許可されたモバイルデバイスに前記物理レイヤ暗号化鍵を提供するための手段（１２０９）をさらに備える、
請求項２３に記載のノード（１０２）。
【請求項２５】
ワイヤレスネットワークの少なくとも１つのノード（１０２）のカバレージにアクセスするためのモバイルデバイス（１３００）であって、
前記少なくとも１つのノードに識別子情報を送信するための手段（１３０１）と、
前記モバイルデバイスの認証に際して、ワイヤレスネットワークのノードの時間変化する関数を有する暗号化関数テーブルを備える物理レイヤ暗号化鍵を受信するための手段（１３０３）と、ここにおいて、前記ワイヤレスネットワークのノードのカバレージエリアは、前記時間変化する関数にしたがって時間と共に変化し、前記時間変化する関数は、時間変化する送信電力関数、時間変化するビーム形状関数、または時間変化するビーム方向関数のうちの少なくとも１つを含む、
前記ノードのカバレージエリアが前記時間変化する関数にしたがって時間と共に変化するような前記ワイヤレスネットワークを使用するために、前記物理レイヤ暗号化鍵中に含まれる前記時間変化する関数を使用するための手段（１３０５）と
を備える、モバイルデバイス（１３００）。
【請求項２６】
前記ワイヤレスネットワークのノードから受信した信号に基づいて前記デバイス（１２０）のポジションの物理的な位置を決定するために前記時間変化する関数を使用するための手段（１３０７）をさらに備える、請求項２５に記載のモバイルデバイス（１３００）。
【請求項２７】
前記時間変化する関数は、可変送信電力を備える、
請求項２６のモバイルデバイス（１３００）。
【請求項２８】
前記時間変化する関数は、可変ビーム形状を備える、
請求項２６に記載のモバイルデバイス（１３００）。
【請求項２９】
前記モバイルデバイス（１３００）は、ユーザ機器デバイスである、
請求項２５に記載のモバイルデバイス（１３００）。
【請求項３０】
前記モバイルデバイス（１３００）は、ユーザ機器デバイスである、
請求項２６に記載のモバイルデバイス（１３００）。
【請求項３１】
ワイヤレスネットワーク中のノード（１０２）に関連した非一時的コンピュータ可読媒体（５５９）を備え、前記非一時的コンピュータ可読媒体は、
前記ノードに関連した少なくとも１つのプロセッサに、時間変化する方法で前記ノード（１０２）からの送信を制御するための時間変化する送信制御情報を含む、物理レイヤ暗号化鍵にアクセスさせるためのコードと、ここにおいて、前記時間変化する送信制御情報は、時間変化する送信電力関数情報、時間変化するビーム形状情報、または時間変化するビーム方向関数情報のうちの少なくとも１つを含む、
前記ノードに関連した少なくとも１つのプロセッサ（５２７）に、前記物理レイヤ暗号化鍵中に含まれる前記時間変化する送信制御情報にしたがって送信関数を変えることによって、前記ノードからの送信に関連した送信カバレージを変えさせるためのコードと
を備える、コンピュータプログラム製品。
【請求項３２】
前記少なくとも１つのプロセッサ（５２７）に、前記物理暗号化鍵にアクセスする要求しているモバイルデバイス（１２０）のための許可を評価させるためのコードをさらに備える、
請求項３１のコンピュータプログラム製品。
【請求項３３】
前記評価するためのコードは、
前記モバイルデバイス（１２０）の固有の識別子を受信するためのコードと、
前記モバイルデバイス（１２０）の許可されたもののリストと前記固有の識別子とを比較するためにコードと
を備える、請求項３２に記載のコンピュータプログラム製品。
【請求項３４】
ワイヤレスネットワーク中のモバイルデバイス（１３００）に関連した非一時的コンピュータ可読媒体（５２９）を備え、前記非一時的コンピュータ可読媒体は、
前記モバイルデバイスに関連する少なくとも１つのプロセッサ（５２８）に、前記ワイヤレスネットワークの少なくとも１つのノード（１０２）に識別子情報を送信させるためのコードと、
前記少なくとも１つのプロセッサ（５２８）に、前記少なくとも１つのノード（１０２）による前記送信された識別子の認証に際して、前記ワイヤレスネットワークのノードの時間変化する関数を有する暗号化関数テーブルを備える物理レイヤ暗号化鍵を受信させるためのコードと、ここにおいて、前記ワイヤレスネットワークのノードのカバレージエリアは、前記時間変化する関数にしたがって時間と共に変化し、前記時間変化する関数は、時間変化する送信電力関数、時間変化するビーム形状関数、または時間変化するビーム方向関数のうちの少なくとも１つを含む、
前記少なくとも１つのプロセッサ（５２８）に、前記ノードのカバレージエリアが前記時間変化する関数にしたがって時間と共に変化するような前記ワイヤレスネットワークを使用するために、前記物理レイヤ暗号化鍵中に含まれる前記時間変化する関数を使用させるためのコードと
を備える、コンピュータプログラム製品。
【請求項３５】
前記少なくとも１つのプロセッサ（５２８）に、ワイヤレスネットワークのノードから受信した信号に基づいて前記デバイス（１２０）のポジションの物理的な位置を決定するために前記時間変化する関数を使用させるためのコードをさらに備える、請求項３４に記載のコンピュータプログラム製品。
【請求項３６】
前記少なくとも１つのプロセッサ（５２８）に、前記物理レイヤ暗号化鍵を使用して前記少なくとも１つのノード（１０２）のカバレージを暗号解読させるためのコードをさらに備える、
請求項３４に記載のコンピュータプログラム製品。
【請求項３７】
前記少なくとも１つのプロセッサ（５２８）に、前記暗号解読に準じて前記カバレージにアクセスさせるためのコードをさらに備える、
請求項３６に記載のコンピュータプログラム製品。
【請求項３８】
ノード（１０２）によって提供されるワイヤレスカバレージを安全にするノード（１０２）であって、
時間変化する方法で前記ノード（１０２）からの送信を制御するための時間変化する送信制御情報を含む、物理レイヤ暗号化鍵を受信するように構成された暗号化モジュール（５３３）と、ここにおいて、前記時間変化する送信制御情報は、時間変化する送信電力関数情報、時間変化するビーム形状情報、または時間変化するビーム方向関数情報のうちの少なくとも１つを含む、
前記物理レイヤ暗号化鍵中に含まれる前記時間変化する送信制御情報にしたがって送信関数を変えることによって、前記ノード（１０２）からの送信に関連するワイヤレス送信カバレージを変えるように構成された送信機（５１３）と
を備える、ノード（１０２）。
【請求項３９】
前記暗号化モジュール（５３３）は、
前記ワイヤレスカバレージへのアクセスを要求するモバイルデバイスの固有の識別子を受信するように構成される受信機と、
前記モバイルデバイスの許可されたもののリストと前記固有の識別子を比較するように構成された比較器と
をさらに備える、請求項３８に記載のノード（１０２）。
【請求項４０】
前記ワイヤレスカバレージにアクセスするための要求をモバイルデバイス（１２０）から受信するように構成された受信機（５１１）をさらに備える、
請求項３８に記載のノード（１０２）。
【請求項４１】
前記暗号化モジュール（５３３）は、前記ワイヤレスカバレージにアクセスするために、前記モバイルデバイス（１２０）の許可にアクセスするようにさらに構成される、
請求項４０に記載のノード（１０２）。
【請求項４２】
前記送信機（５１３）は、前記モバイルデバイス（１２０）の許可されたものからの前記要求に応答可能なように、前記許可されたモバイルデバイスに前記物理レイヤ暗号化鍵を提供するようにさらに構成される、
請求項４１に記載のノード（１０２）。
【請求項４３】
ワイヤレスネットワークの前記少なくとも１つのノード（１０２）のカバレージにアクセスするためのモバイルデバイス（１３００）であって、
前記少なくとも１つのノード（１０２）に識別子情報を送信するように構成された送信機（５１４）と、
前記少なくとも１つのノード（１０２）による認証に際して、前記ワイヤレスネットワークのノードの時間変化する関数を有する暗号化関数テーブルを備える物理レイヤ暗号化鍵を受信するように構成された受信機（５１２）と、ここにおいて、前記ワイヤレスネットワークのノードのカバレージエリアは、前記時間変化する関数にしたがって時間と共に変化し、前記時間変化する関数は、時間変化する送信電力関数、時間変化するビーム形状関数、または時間変化するビーム方向関数のうちの少なくとも１つを含む、
前記ノードのカバレージエリアが前記時間変化する関数にしたがって時間と共に変化するような前記ワイヤレスネットワークを使用するために、前記物理レイヤ暗号化鍵中に含まれる前記時間変化する関数を使用するように構成されたモジュール（１３０５）と
を備える、モバイルデバイス（１３００）。
【請求項４４】
前記時間変化する関数は、可変送信電力を備える、
請求項４３に記載のモバイルデバイス（１３００）。
【請求項４５】
前記時間変化する関数は、可変ビーム形状を備える、
請求項４３に記載のモバイルデバイス（１３００）。
【請求項４６】
前記ワイヤレスネットワークのノードから受信した信号に基づいて前記デバイス（１３００）のポジションの物理的な位置を決定するために前記時間変化する関数を使用するように構成されたモジュール（１３０７）をさらに備える、
請求項４３に記載のモバイルデバイス（１３００）。
【請求項４７】
前記モバイルデバイス（１３００）は、ユーザ機器デバイスである、
請求項４６に記載のモバイルデバイス（１３００）。
【請求項４８】
前記モバイルデバイス（１３００）は、加入者局である、
請求項４７に記載のモバイルデバイス（１３００）。
【手続補正２】
【補正対象書類名】明細書
【補正対象項目名】００７８
【補正方法】変更
【補正の内容】
【００７８】
[0088]当業者が本開示を実施および使用することを可能にするために、本開示の以上の記述が提供される。これらの開示に対する様々な変更は当業者には容易に明らかであり、本明細書において定義された包括的な原理は、本開示の精神または範囲を逸脱することなく他の変形に適用されうる。よって、本開示は、本明細書において説明される実例および設計に限定されるように意図されたものではなく、本明細書において開示された原理および新規の特徴と矛盾しない最大範囲であると認められるべきである。
以下に、出願当初の特許請求の範囲に記載された発明を付記する。
［Ｃ１］
ノードのカバレージを安全にする方法であって、
前記ノードが、物理レイヤ暗号化鍵にアクセスすることと、
前記ノードが、前記鍵にしたがって、前記ノードからの送信に関連したカバレージを変えることと
を備える方法。
［Ｃ２］
前記鍵は、時間変化する物理レイヤ関数を有する暗号化関数テーブルを備える、
［Ｃ１］に記載の方法。
［Ｃ３］
前記時間変化する関数は、可変送信電力を備える、
［Ｃ２］に記載の方法。
［Ｃ４］
前記時間変化する関数は、可変ビーム形状を備える、
［Ｃ２］に記載の方法。
［Ｃ５］
前記ノードが、前記カバレージにアクセスするための要求をモバイルデバイスから受信することをさらに備える、
［Ｃ１］に記載の方法。
［Ｃ６］
前記ノードが、前記カバレージにアクセスするために前記モバイルデバイスの許可を評価することをさらに備える、
［Ｃ５］に記載の方法。
［Ｃ７］
前記評価は、
前記ノードが、前記モバイルデバイスの固有の識別子を受信することと、
前記ノードが、前記モバイルデバイスの許可されたもののリストと前記固有の識別子とを比較することと
をさらに備える、［Ｃ６］に記載の方法。
［Ｃ８］
前記モバイルデバイスの許可されたものからの前記要求に応答可能なように、前記ノードが、前記許可されたモバイルデバイスに前記物理レイヤ暗号化鍵を提供することをさらに備える、
［Ｃ６］に記載の方法。
［Ｃ９］
前記物理レイヤ暗号化鍵は、所定の時間の間有効である、
［Ｃ８］に記載の方法。
［Ｃ１０］
前記物理レイヤ暗号化鍵は、擬似ランダムに生成される鍵を備える、
［Ｃ１］に記載の方法。
［Ｃ１１］
前記物理レイヤ暗号化鍵は、関数テーブルへのインデックスを備える、
［Ｃ１］に記載の方法。
［Ｃ１２］
少なくとも１つのノードのカバレージにアクセスするための方法であって、
デバイスが、前記少なくとも１つのノードに識別子情報を送信することと、
前記少なくとも１つのノードによる認証に際して、前記デバイスが、ワイヤレスネットワークのノードの時間変化する物理レイヤ関数を有する暗号化関数テーブルを備える物理レイヤ暗号化鍵を受信することと
を備える、方法。
［Ｃ１３］
前記時間変化する物理レイヤ関数は、特定のエリアのカバレージを維持するために、前記ノード中で調整される、
［Ｃ１２］に記載の方法。
［Ｃ１４］
前記時間変化する関数は、可変送信電力を備える、
［Ｃ１２］に記載の方法。
［Ｃ１５］
前記時間変化する関数は、可変ビーム形状を備える、
［Ｃ１２］に記載の方法。
［Ｃ１６］
前記デバイスが、前記物理レイヤ暗号化関数を暗号解読するために、前記物理レイヤ暗号化鍵を使用することをさらに備える、
［Ｃ１２］に記載の方法。
［Ｃ１７］
前記デバイスが、モバイルデバイスのポジションを決定するために、前記暗号解読された物理レイヤ関数を使用することをさらに備える、
［Ｃ１６］に記載の方法。
［Ｃ１８］
ノードのカバレージを安全にするためのノードであって、
物理レイヤ暗号化鍵にアクセスするための手段と、
前記物理レイヤ暗号化鍵にしたがって、前記ノードからの送信に関連したカバレージを変えるための手段と
を備える、ノード。
［Ｃ１９］
前記物理レイヤ暗号化鍵は、時間変化する物理レイヤ関数を有する暗号化関数テーブルを備える、
［Ｃ１８］に記載のノード。
［Ｃ２０］
前記時間変化する物理レイヤ関数は、可変送信電力を備える、
［Ｃ１８］に記載のノード。
［Ｃ２１］
前記時間変化する物理レイヤ関数は、可変ビーム形状を備える、
［Ｃ１８］に記載のノード。
［Ｃ２２］
前記カバレージにアクセスするための要求をモバイルデバイスから受信するための手段をさらに備える、
［Ｃ１８］に記載のノード。
［Ｃ２３］
前記カバレージにアクセスするように前記要求しているモバイルデバイスの許可にアクセスするための手段をさらに備える、
［Ｃ２２］に記載のノード。
［Ｃ２４］
前記モバイルデバイスの許可されたものからの前記要求に応答可能なように、前記許可されたモバイルデバイスに前記物理レイヤ暗号化鍵を提供するための手段をさらに備える、
［Ｃ２３］に記載のノード。
［Ｃ２５］
少なくとも１つのノードのカバレージにアクセスするためのモバイルデバイスであって、
前記少なくとも１つのノードに識別子情報を送信するための手段と、
前記モバイルデバイスの認証に際して、ワイヤレスネットワークのノードの時間変化する物理レイヤ関数を有する暗号化関数テーブルを備える物理レイヤ暗号化鍵を受信するための手段と
を備える、モバイルデバイス。
［Ｃ２６］
前記時間変化する物理レイヤ関数は、特定のエリアのカバレージを維持するために、前記ノード中で調整される、
［Ｃ２５］に記載のモバイルデバイス。
［Ｃ２７］
前記時間変化する関数は、可変送信電力を備える、
［Ｃ２６のモバイルデバイス。
［Ｃ２８］
前記時間変化する関数は、可変ビーム形状を備える、
［Ｃ２６］に記載のモバイルデバイス。
［Ｃ２９］
前記物理レイヤ暗号化関数を暗号解読するために、前記物理レイヤ暗号化鍵を使用することをさらに備える、
［Ｃ２５］に記載のモバイルデバイス。
［Ｃ３０］
現在のポジションを解読するために、前記暗号解読された物理レイヤ関数を使用することをさらに備える、
［Ｃ２９］に記載のモバイルデバイス。
［Ｃ３１］
ワイヤレスネットワーク中のノードに関連した非一時的コンピュータ可読媒体を備え、前記非一時的コンピュータ可読媒体は、
前記ノードに関連した少なくとも１つのプロセッサに、物理レイヤ暗号化鍵にアクセスさせるためのコードと、
前記ノードに関連した少なくとも１つのプロセッサに、前記鍵にしたがって、前記ノードからの送信に関連したカバレージを変えさせるためのコードと
を備える、コンピュータプログラム製品。
［Ｃ３２］
前記少なくとも１つのプロセッサに、前記物理暗号化鍵にアクセスする要求しているモバイルデバイスのための許可を評価させるためのコードをさらに備える、
［Ｃ３１のコンピュータプログラム製品。
［Ｃ３３］
前記評価するためのコードは、
前記モバイルデバイスの固有の識別子を受信するためのコードと、
前記モバイルデバイスの許可されたもののリストと前記固有の識別子とを比較するためにコードと
を備える、［Ｃ３２］に記載のコンピュータプログラム製品。
［Ｃ３４］
ワイヤレスネットワーク中のモバイルデバイスに関連した非一時的コンピュータ可読媒体を備え、前記非一時的コンピュータ可読媒体は、
前記モバイルデバイスに関連する少なくとも１つのプロセッサに、前記ワイヤレスネットワークの少なくとも１つのノードに識別子情報を送信させるためのコードと、
前記少なくとも１つのプロセッサに、前記少なくとも１つのノードによる前記送信された識別子の認証に際して、前記ワイヤレスネットワークのノードの時間変化する物理レイヤ関数を有する暗号化関数テーブルを備える物理レイヤ暗号化鍵を受信させるためのコードと
を備える、コンピュータプログラム製品。
［Ｃ３５］
前記時間変化する物理レイヤ関数は、特定のエリアのカバレージを維持するために、前記ノード間で調整される、［Ｃ３４］に記載のコンピュータプログラム製品。
［Ｃ３６］
前記少なくとも１つのプロセッサに、前記物理レイヤ暗号化鍵を使用して前記少なくとも１つのノードのカバレージを暗号解読させるためのコードをさらに備える、
［Ｃ３４］に記載のコンピュータプログラム製品。
［Ｃ３７］
前記少なくとも１つのプロセッサに、前記暗号解読に準じて前記カバレージにアクセスさせるためのコードをさらに備える、
［Ｃ３６］に記載のコンピュータプログラム製品。
［Ｃ３８］
ノードによって提供されるワイヤレスカバレージを安全にするノードであって、
物理レイヤ暗号化鍵を受信するように構成された暗号化モジュールと、
前記物理レイヤ暗号化鍵にしたがって、前記ノードからの送信に関連する前記ワイヤレスカバレージを変えるように構成された送信機と
を備える、ノード。
［Ｃ３９］
前記暗号化モジュールは、
前記ワイヤレスカバレージへのアクセスを要求するモバイルデバイスの固有の識別子を受信するように構成される受信機と、
前記モバイルデバイスの許可されたもののリストと前記固有の識別子を比較するように構成された比較器と
をさらに備える、［Ｃ３８］に記載のノード。
［Ｃ４０］
前記ワイヤレスカバレージにアクセスするための要求をモバイルデバイスから受信するように構成された受信機をさらに備える、
［Ｃ３８］に記載のノード。
［Ｃ４１］
前記暗号化モジュールは、前記ワイヤレスカバレージにアクセスするために、前記モバイルデバイスの許可にアクセスするようにさらに構成される、
［Ｃ４０］に記載のノード。
［Ｃ４２］
前記送信機は、前記モバイルデバイスの許可されたものからの前記要求に応答可能なように、前記許可されたモバイルデバイスに前記物理レイヤ暗号化鍵を提供するようにさらに構成される、
［Ｃ４１］に記載のノード。
［Ｃ４３］
前記少なくとも１つのノードのカバレージにアクセスするためのモバイルデバイスであって、
前記少なくとも１つのノードに識別子情報を送信するように構成された送信機と、
前記少なくとも１つのノードによる認証に際して、時間変化する物理レイヤ関数を有する暗号化関数テーブルを備える物理レイヤ暗号化鍵を受信するように構成された受信機と
を備える、モバイルデバイス。
［Ｃ４４］
前記時間変化する関数は、可変送信電力を備える、
［Ｃ４３］に記載のモバイルデバイス。
［Ｃ４５］
前記時間変化する関数は、可変ビーム形状を備える、
［Ｃ４３］に記載のモバイルデバイス。
［Ｃ４６］
少なくとも１つの物理レイヤ暗号化関数を暗号解読するために前記物理レイヤ暗号化鍵を使用するように構成された暗号解読モジュールをさらに備える、
［Ｃ４３］に記載のモバイルデバイス。
［Ｃ４７］
前記暗号解読モジュールは、前記モバイルデバイスのポジションを解読するために、前記物理レイヤ暗号化鍵を使用するようさらに構成される、
［Ｃ４６］に記載のモバイルデバイス。
［Ｃ４８］
前記送信機および前記受信機は、前記暗号解読モジュールによる解読に応答可能なように前記カバレージにアクセスするように構成される、
［Ｃ４７］に記載のモバイルデバイス。
【国際調査報告】
2015528236.tif 000018
2015528236.tif 000019
2015528236.tif 000020